(57)【要約】【課題】機器に接続した際の省スペース化を実現でき、しかも防水性および防塵性に優れた光電気コネクタを提供する。【解決手段】光ケーブル２から引き出された光ファイバ３に光接続された光電変換部５を有するサブアセンブリ１０と、受け側コネクタに接続される電極端子７とが、ハウジング８内に収容された光電気コネクタ１。ハウジング８は、サブアセンブリ１０を収容する収容部１１と、受け側コネクタに嵌合可能な嵌合接続部１２とを有する。電極端子７は、サブアセンブリ１０に差し込み固定されて嵌合接続部１２内に延出して形成されている。嵌合接続部１２は、収容部１１の側方に突出して形成されている。【選択図】図１
2008275950.tif 000002
【特許請求の範囲】
【請求項１】
光ケーブル（２）から引き出された光ファイバ（３）に光接続された光電変換部（５）を有するサブアセンブリ（１０）と、前記光電変換部に電気的に接続され、受け側コネクタに接続される電極端子（７）とが、ハウジング（８）内に収容された光電気コネクタであって、
前記ハウジングが、前記サブアセンブリを収容する収容部（１１）と、前記受け側コネクタに嵌合可能な嵌合接続部（１２）とを有し、
前記電極端子が、前記サブアセンブリに差し込み固定されて前記嵌合接続部内に延出して形成され、
前記収容部が、前記ハウジングへの前記光ケーブルの接続方向に沿って形成され、
前記嵌合接続部は、前記収容部の側方に突出して形成されていることを特徴とする光電気コネクタ（１）。
【請求項２】
前記電極端子は、前記収容部内のサブアセンブリに、外部から前記嵌合接続部を通して差し込み固定可能であることを特徴とする請求項１に記載の光電気コネクタ。
【請求項３】
前記サブアセンブリが、前記光電変換部に接続された基板部（６）を有し、
前記電極端子は、前記基板部に差し込み固定され、前記基板部を介して前記光電変換部に接続されていることを特徴とする請求項１または２に記載の光電気コネクタ。
【請求項４】
前記ハウジングは、少なくとも前記収容部と前記嵌合接続部とが一体に形成されていることを特徴とする請求項１〜３のうちいずれか１項に記載の光電気コネクタ。
【請求項５】
前記光ケーブルが、カシメ固定部（２５）によって前記ハウジングに固定され、
前記カシメ固定部は、前記光ケーブルの外被（２３）先端部を把持するカシメリング（２６）と、前記光ケーブルから口出しされたテンションメンバ（２１）が挿通する挿通孔を有するカシメ座（２７）とを有し、
前記カシメリングによって、前記カシメ座との間に前記ハウジングのカシメ接続部（１５）を挟み込むとともに、前記カシメ座によって前記テンションメンバを締め付け固定することを特徴とする請求項１〜４のうちいずれか１項に記載の光電気コネクタ。
【請求項６】
前記光ケーブルが、金属配線（２２）と前記光ファイバを有する光電気複合ケーブルであり、前記金属配線は、前記光ケーブルから引き出されて前記サブアセンブリに接続されていることを特徴とする請求項１〜５のうちいずれか１項に記載の光電気コネクタ。
【発明の詳細な説明】
【技術分野】
【０００１】
本発明は、例えば、機器内または機器間を、光電気複合ケーブルなどの光ケーブルで接続する際に好適に用いられる光電気コネクタに関する。
【背景技術】
【０００２】
従来、機器内や機器間を光電気複合ケーブルなどの光ケーブルで接続するには、光電変換部と、これに電気的に接続された電極端子とを有する光電気コネクタが広く用いられている。
光電気コネクタは、光ファイバによって伝送された光信号を、光電変換部で電気信号に変換して機器に入力したり、機器からの電気信号を光信号に変換して光ファイバに送出することができる（例えば、特許文献１参照）。
【特許文献１】特開２００４−１９１５５５号公報
【発明の開示】
【発明が解決しようとする課題】
【０００３】
しかしながら、この種の光電気コネクタは、光電変換部を有するためサイズが大きくなることから、大きな配線スペースが必要となる。このため、機器に接続した際の省スペース化が要望されていた。
また、光電気コネクタでは、光ファイバと光電変換部とが光接続されるため、内部に水や塵が浸入すると、接続損失などの問題が生じるおそれがあり、防水性および防塵性は重要である。
本発明は上記事情に鑑みてなされたものであって、機器に接続した際の省スペース化を実現でき、しかも防水性および防塵性に優れた光電気コネクタを提供することを課題とする。
【課題を解決するための手段】
【０００４】
本発明の請求項１にかかる光電気コネクタは、光ケーブルから引き出された光ファイバに光接続された光電変換部を有するサブアセンブリと、前記光電変換部に電気的に接続され、受け側コネクタに接続される電極端子とが、ハウジング内に収容された光電気コネクタであって、前記ハウジングが、前記サブアセンブリを収容する収容部と、前記受け側コネクタに嵌合可能な嵌合接続部とを有し、前記電極端子が、前記サブアセンブリに差し込み固定されて前記嵌合接続部内に延出して形成され、前記収容部が、前記ハウジングへの前記光ケーブルの接続方向に沿って形成され、前記嵌合接続部が、前記収容部の側方に突出して形成されていることを特徴とする。
本発明の請求項２にかかる光電気コネクタは、請求項１において、前記電極端子が、前記収容部内のサブアセンブリに、外部から前記嵌合接続部を通して差し込み固定可能であることを特徴とする。
本発明の請求項３にかかる光電気コネクタは、請求項１または２において、前記サブアセンブリが、前記光電変換部に接続された基板部を有し、前記電極端子が、前記基板部に差し込み固定され、前記基板部を介して前記光電変換部に接続されていることを特徴とする。
本発明の請求項４にかかる光電気コネクタは、請求項１〜３のうちいずれか１項において、前記ハウジングが、少なくとも前記収容部と前記嵌合接続部とが一体に形成されていることを特徴とする。
本発明の請求項５にかかる光電気コネクタは、請求項１〜４のうちいずれか１項において、前記光ケーブルが、カシメ固定部によって前記ハウジングに固定され、前記カシメ固定部が、前記光ケーブルの外被先端部を把持するカシメリングと、前記光ケーブルから口出しされたテンションメンバが挿通する挿通孔を有するカシメ座とを有し、前記カシメリングによって、前記カシメ座との間に前記ハウジングのカシメ接続部を挟み込むとともに、前記カシメ座によって前記テンションメンバを締め付け固定することを特徴とする。
本発明の請求項６にかかる光電気コネクタは、請求項１〜５のうちいずれか１項において、前記光ケーブルが、金属配線と前記光ファイバを有する光電気複合ケーブルであり、前記金属配線が、前記光ケーブルから引き出されて前記サブアセンブリに接続されていることを特徴とする。
【発明の効果】
【０００５】
本発明の光電気コネクタは、嵌合接続部が収容部の側方に突出して形成されているため、嵌合接続部が収容部の先端方向に形成されたものに比べ、機器に接続したときに、この機器に対して突出する寸法を小さくできる。
このため、光電変換部を有する光電気コネクタであるにもかかわらず、光ケーブルの配線に必要な空間を小さくできる。
【０００６】
また、嵌合接続部が本体の側方に突出したＬ字形状のコネクタにおいて、電極端子が嵌合接続部内に延出している場合には、ハウジングを一体構造とすると、内部アセンブリをハウジング内に配置するのが困難になるため、ハウジングには、防水性に劣る２つ割構造などを採用せざるを得ないのが技術常識である。
この問題に対し、本発明では、電極端子がサブアセンブリに差し込み固定される構造を採用した。この構造によって、本発明の光電気コネクタは、サブアセンブリのみを収容部に挿入した後、外部から嵌合接続部内に電極端子を挿入し、サブアセンブリに差し込み固定することによって組立てができる。
従って、２つ割り構造などに比べ防水性および防塵性に優れた一体構造のハウジングを採用でき、防水および防塵性能を高めることができる。
【発明を実施するための最良の形態】
【０００７】
以下、実施の形態に基づいて、本発明を詳しく説明する。
図１は、本発明の光電気コネクタの一実施形態である光電気コネクタ１の内部構造を示す斜視図である。図２（ａ）〜図２（ｄ）は、それぞれ光電気コネクタ１の横断面図、正断面図、側断面図、正面図である。図３は、光電気コネクタ１の正断面図である。
以下の説明において、図１に示すように、光電気コネクタ１に接続される光ケーブル２の先端方向を前方といい、その反対方向を後方ということがある。
【０００８】
図１に示すように、この光電気コネクタ１は、光ケーブル２から引き出された光ファイバ３が接続されたサブアセンブリ１０と、サブアセンブリ１０に形成された電極端子７とが、ハウジング８内に収容されて構成されている。
サブアセンブリ１０は、光ファイバ３の先端部が保持された光ファイバ保持部４と、光ファイバ３に光接続された光電変換部５と、光電変換部５に電気的に接続された基板部６とを備えている。
【０００９】
図２（ｂ）に示すように、光ケーブル２は、テンションメンバ２１と、これに縦添えされた光ファイバ３および金属線２２と、これらを覆う外被２３とを有する。光ファイバ３は例えば光ファイバ心線であり、金属線２２は例えば被覆付きの銅線である。
図示例では、１本の光ファイバ３と１本の金属線２２が、テンションメンバ２１の一方側に配線され、２本の金属線２２がテンションメンバ２１の他方側に配線されている（図９および図１０を参照）。
なお、この例の光ケーブル２は、金属線２２と光ファイバ３を有する光電気複合ケーブルであるが、本発明では金属線を備えていない光ケーブルを用いることもできる。
【００１０】
図３に示すように、光ファイバ保持部４は、光ファイバ３を保持するものであって、ジルコニア等のセラミックや、ガラスで形成されたフェルール４ａの後端部にフランジ部４ｂが形成されている。
フェルール４ａは、例えば円筒状に形成され、軸方向に沿う光ファイバ挿通孔４ｄに光ファイバ３が挿通している。
フェルール４ａは、先端面４ｃに光ファイバ３の先端面を露出させるようになっており、光電変換部５の嵌合穴５ａに嵌め込まれることで、光ファイバ３の先端面を光電変換部５に対して光接続可能に位置決めしている。図示例では、光ファイバ３の先端面は前方に向けられている。
【００１１】
光電変換部５は、電極端子７を介して入力された電気信号を光信号に変換して光ファイバ３に送出、もしくは、光ファイバ３を介して入力された光信号を電気信号に変換して電極端子７に送出する機能を有する。
具体的には、例えば、受光素子または発光素子からなる受発光部（図示略）が、光ファイバ３の先端面に対して光接続可能に設けられており、この受発光部と電極端子７との間にある信号処理回路（図示略）が、光信号と電気信号との変換を行うようになっている。
受光素子としてはフォトダイオード（ＰＤ）があり、発光素子としてはレーザダイオード（ＬＤ）などの半導体レーザがある。
【００１２】
基板部６は、例えば所定の回路を構成する配線を有する回路基板であって、光電変換部５から前方に延出して設けられている。基板部６には、電極端子７が差し込まれて嵌合して固定される嵌合穴６ａが形成されている。嵌合穴６ａは嵌合接続部１２に相当する位置に形成されている。
嵌合穴６ａは、電極端子７が差し込まれて嵌合することによって、この電極端子７が、基板部６の配線を介して光電変換部５に電気的に接続されるように形成されている。
嵌合穴６ａを電極端子７に即した形状とすれば、電極端子７を嵌合穴６ａに圧入することによって基板部６に固定できる。
基板部６に電極端子７が固定される構造は、基板部６の側方から差し込まれた電極端子７が固定される構造であればよく、嵌合穴６ａに限定されない。例えば電極端子７を固定する構造を有する接続部材を介して、電極端子７と基板部６とが固定されてもよい。
【００１３】
基板部６は、光電変換部５の受発光部を駆動する駆動用ＩＣを搭載することができる。
図２（ｂ）に示すように、基板部６には、光ケーブル２から引き出された金属線２２が接続されている。金属線２２は、例えば、この光電気コネクタ１が接続される機器に電力を供給する用途にも使用できる。
【００１４】
図３に示すように、電極端子７は、銅合金などからなる細長板状の端子であって、基板部６の嵌合穴６ａに嵌合した状態で基板部６に固定されている。
電極端子７は、サブアセンブリ１０の延在方向である前後方向に対し垂直に突出して形成することができる。図示例では、電極端子７は基板部６に対しほぼ垂直に突出しており、後述するハウジング８の嵌合接続部１２内に延出している。
電極端子７は、ハウジング本体９の隔壁１１ｃに係止可能な抜け止め突起７ａを形成するのが好ましい。図３に示す抜け止め突起７ａは、電極端子７を構成する金属板の一部を曲げることで形成された突出片であり、図中斜め下方に突出して形成され、弾性変形により電極端子７の側面に対し出没可能とすることができる。
【００１５】
図１および図３に示すように、ハウジング８は、ハウジング本体９と、ハウジング本体９に装着される蓋部１３とを備えている。
ハウジング本体９は、前後方向に沿って設けられた直方体状の収容部１１と、収容部１１の前端部に形成された嵌合接続部１２とを有する。
収容部１１は、長手方向を前後方向に向けて設けられ、その内部空間１１ｂには、サブアセンブリ１０が収容されている。
収容部１１には、嵌合接続部１２が形成された位置に隔壁１１ｃが形成されており、隔壁１１ｃによって、収容部１１と嵌合接続部１２とが区画されている。隔壁１１ｃには、電極端子７が挿通する挿通孔１１ｄが形成されている。
【００１６】
嵌合接続部１２は、断面略矩形の筒状に形成され、収容部１１の側方に突出している。図示例では、収容部１１の前端部から、収容部１１の延在方向（前後方向）に対してほぼ垂直に突出して形成されている。
嵌合接続部１２は、電極端子７の延出方向と同じ方向に突出して形成されており、受け側コネクタの嵌合穴（図示略）に嵌合して、この受け側コネクタに電極端子７を接続させるようになっている。
なお、嵌合接続部１２の突出方向は、収容部１１に対し傾斜する方向であればよく、垂直方向に限定されない。
【００１７】
ハウジング本体９は、一体に形成するのが好ましい。これによって、光電気コネクタ１の防水性および防塵性を高めることができる。
ハウジング本体９を一体に形成するには、周知の樹脂成型法（射出成形等）が採用できる。
【００１８】
蓋部１３は、収容部１１の後部開口１１ａを閉止するものであって、後部開口１１ａを塞ぐブロック状の蓋部本体１４と、蓋部本体１４から後方に突出するカシメ接続部１５とを有する。
蓋部本体１４は、後部開口１１ａの内部形状に即した形状とされ、後部開口１１ａに嵌め込まれるように形成されている。蓋部本体１４の外周には溝部１４ａが形成され、溝部１４ａには環状のパッキン１６が設けられ、この部分の防水性が高められている。
蓋部本体１４には、前後方向に貫通する導入孔１４ｂが形成されており、この導入孔１４ｂを通して光ファイバ３および金属線２２をハウジング本体９内に導入できる。
カシメ接続部１５は、蓋部本体１４の後面から後方に突出する複数の突出片１５ａからなる。図示例の突出片１５ａは、断面円弧状とされ、全体として略円環状となるように配置されている（図４を参照）。これら複数の突出片１５ａは、周方向に間隔をおいて形成するのが好ましく、後端が縮径および拡径方向に移動できるように弾性的に変形可能であることが好ましい。
【００１９】
図１〜図３に示すように、蓋部本体１４の前面側には、サブアセンブリ１０を支持する支持部３０が形成されている。支持部３０は、蓋部本体１４の前面から前方に延出して形成された支持板部３１と、板バネ３２が係止する板バネ係止部３３と、光電変換部５を挟み込んで支持する一対のアーム部３４とを有する。
【００２０】
板バネ係止部３３は、支持板部３１の上面に突出形成され、前後方向に対し垂直な方向に沿うスリット３３ａが形成されている（図４を参照）。
板バネ３２は、光ファイバ保持部４の後面を前方に向けて付勢しつつ押さえつける基部３２ａと、その下端から延出する一対の脚部３２ｂとを有し、脚部３２ｂをスリット３３ａに挿入することによって、支持板部３１に係止する（図６および図７を参照）。
支持板部３１の前端には、基板部６が嵌合する嵌合凹部３５が形成されており、図示例では、基板部６が支持板部３１に垂直な状態で嵌合凹部３５に嵌合している（図７を参照）。
【００２１】
図３、図８〜図１０に示すように、光ケーブル２は、カシメ固定部２５によってハウジング８に固定されている。
カシメ固定部２５は、光ケーブル２の外被２３の先端部を把持するカシメリング２６と、光ケーブル２から口出しされたテンションメンバ２１に装着されたカシメ座２７を有する。
【００２２】
カシメリング２６は、カシメ接続部１５の外周面に装着される筒状のカシメ座固定部２６ａと、カシメ座固定部２６ａの後方に延出する筒状のケーブル固定部２６ｂとを有する。ケーブル固定部２６ｂは、光ケーブル２の外周面に装着され、爪部２６ｃによって外被２３に係止する。
【００２３】
図８〜図１０に示すように、カシメ座２７は、カシメ接続部１５の内径より若干小さい外径を有する円柱体の一方および他方の側面に、光ファイバ３および金属線２２が配線される配線凹部２７ａを有する形状とされ、中心部には、テンションメンバ２１が挿通する挿通孔２７ｂが形成されている。カシメ座２７には、外周面から挿通孔２７ｂに達する切り込み２７ｃが形成されている。
カシメ座２７は、樹脂材料で構成するのが好ましい。
【００２４】
次に、光電気コネクタ１を、光ケーブル２の先端に組み立てる方法の一例を説明する。
図４および図５に示すように、光ケーブル２から口出しされたテンションメンバ２１にカシメ座２７を装着する。テンションメンバ２１は挿通孔２７ｂに挿通させ、光ファイバ３および金属線２２は配線凹部２７ａに配線する。
【００２５】
図３および図５に示すように、光ファイバ３の先端に取り付けられた光ファイバ保持部４を光電変換部５の嵌合穴５ａに挿入する。
図６および図７に示すように、板バネ３２を、光ファイバ保持部４を押さえつけた状態でスリット３３ａに係止させる。光電変換部５はアーム部３４に保持させる。基板部６は嵌合凹部３５に嵌合させた状態で支持板部３１または光電変換部５に固定する。これによって、サブアセンブリ１０は支持部３０に装着される。
図９に示すように、この状態では、カシメ座２７の切り込み２７ｃが広がっており、カシメ座２７はテンションメンバ２１にゆるく装着されている。
光ケーブル２から引き出された金属線２２は基板部６に接続する。
【００２６】
図６に示すように、カシメ座２７をカシメ接続部１５内に挿入する。
次いで、図７および図８に示すように、カシメリング２６のカシメ座固定部２６ａをカシメ接続部１５の外周に装着する。カシメ座固定部２６ａは、カシメ接続部１５を内方に押圧し、カシメ座２７との間にカシメ接続部１５を挟み込んで固定する。
カシメ接続部１５が内方に押圧されることによって、カシメ座２７は内方に押圧される。
図１０に示すように、この状態では、切り込み２７ｃが閉じており、カシメ座２７によってテンションメンバ２１は締め付け固定される。
この際、光ファイバ３は配線凹部２７ａ内に配線されているため、締め付け力が光ファイバ３に及ぶことはない。
図８に示すように、カシメ座固定部２６ａをカシメ接続部１５に装着した状態で、爪部２６ｃを内方変位させて外被２３に係止させることによって、ケーブル固定部２６ｂを外被２３に固定する。これによって、光ケーブル２がハウジング８に固定される。
【００２７】
このように、カシメリング２６がカシメ座２７との間にカシメ接続部１５を挟み込むとともに、カシメ座２７がテンションメンバ２１を締め付け固定する構造を採用することによって、外被２３をカシメ接続部１５に固定するだけでなく、テンションメンバ２１もカシメ接続部１５に固定することができる。
従って、外被のみをハウジングに固定する構造に比べ、光ケーブル２を強固に把持し、ハウジング８に対する光ケーブル２の固定強度を高めることができる。
【００２８】
次いで、図１１に示すように、支持部３０に支持されたサブアセンブリ１０を後部開口１１ａから収容部１１に挿入し、蓋部１３によって後部開口１１ａを閉止する。基板部６の嵌合穴６ａは、嵌合接続部１２に相当する位置に配置される。
【００２９】
次いで、図１２に示すように、電極端子７を、先端開口１２ａを通して嵌合接続部１２内に挿入する。図示例では、電極端子７は隔壁１１ｃに形成された挿通孔１１ｄを通って基板部６の嵌合穴６ａに差し込まれた状態で固定される。
図１３に示すように、電極端子７の抜け止め突起７ａが隔壁１１ｃに係止することによって、電極端子７の脱落が防止される。詳しくは、抜け止め突起７ａは突出寸法が小さくなる方向に弾性変形しつつ挿通孔１１ｄを通過し、挿通孔１１ｄを通過した段階で復元することによって、隔壁１１ｃに係止する。
電極端子７は、隔壁１１ｃの挿通孔１１ｄと、隔壁１１ｃから離れた位置にある基板部６の嵌合穴６ａに挿通するため、傾きが生じることはない。
以上の工程を経て、図１〜図３に示す光電気コネクタ１が光ケーブル２の先端に組み立てられる。
【００３０】
光電気コネクタ１のハウジング８の嵌合接続部１２を、図示しない機器に設けられた受け側コネクタ（図示略）に嵌合させて、電極端子７を機器と電気的に接続させることにより、前記機器と光ファイバ３との間で信号を伝達できる。
すなわち、光ファイバ３により伝送される光信号を光電変換部５により電気信号に変換して電極端子７から出力したり、電極端子７から入力された電気信号を光電変換部５により光信号に変換してから光ファイバ３に伝送させることなどができる。
【００３１】
光電気コネクタ１は、嵌合接続部１２が収容部１１の側方に突出して形成されているため、嵌合接続部が収容部の先端方向に形成されたものに比べ、機器に接続したときに、この機器に対して突出する寸法を小さくできる。
このため、光電変換部５を有する光電気コネクタ１であるにもかかわらず、光ケーブル２の配線に必要な空間を小さくできる。
【００３２】
嵌合接続部が本体の側方に突出したＬ字形状のコネクタにおいて、電極端子が嵌合接続部内に延出している場合には、ハウジングを一体構造とすると、内部アセンブリをハウジング内に配置するのが困難になるため、ハウジングには、防水性に劣る２つ割構造などを採用せざるを得ないのが技術常識である。
この問題に対し、本発明にかかる光電気コネクタ１は、電極端子７がサブアセンブリ１０に差し込み固定される構造が採用されているので、サブアセンブリ１０のみを収容部１１に挿入した後、外部から嵌合接続部１２内に電極端子７を挿入し、サブアセンブリ１０に差し込み固定することによって組立てができる。
従って、２つ割り構造などに比べ防水性および防塵性に優れた一体構造のハウジングを採用でき、防水および防塵性能を高めることができる。よって、光ファイバ３と光電変換部５との光接続における接続損失を防止できる。
【図面の簡単な説明】
【００３３】
【図１】本発明に係る光電気コネクタの一実施形態の内部構造を示す斜視図である。
【図２】（ａ）〜（ｄ）は、それぞれ図１に示す光電気コネクタの横断面図、正断面図、側断面図、正面図である。
【図３】図１に示す光電気コネクタの側断面図である。
【図４】図１に示す光電気コネクタの組立て過程を示す工程図である。
【図５】図１に示す光電気コネクタの組立て過程を示す工程図である。
【図６】図１に示す光電気コネクタの組立て過程を示す工程図である。
【図７】図１に示す光電気コネクタの組立て過程を示す工程図である。
【図８】図１に示す光電気コネクタの組立て過程を示す工程図である。
【図９】カシメ固定部による固定がされていない状態のカシメ座を示す図であり、（ａ）は斜視図であり、（ｂ）は前面図である。
【図１０】カシメ固定部による固定がされている状態のカシメ座を示す図であり、（ａ）は斜視図であり、（ｂ）は前面図である。
【図１１】図１に示す光電気コネクタの組立て過程を示す工程図である。
【図１２】図１に示す光電気コネクタの組立て過程を示す工程図である。
【図１３】図１に示す光電気コネクタの組立て過程を示す工程図である。
【符号の説明】
【００３４】
１・・・光電気コネクタ、２・・・光ケーブル、３・・・光ファイバ、４・・・光ファイバ保持部、５・・・光電変換部、６・・・基板部、７・・・電極端子、８・・・ハウジング、１０・・・サブアセンブリ、１１・・・収容部、１２・・・嵌合接続部、１５・・・カシメ接続部、２１・・・テンションメンバ、２２・・・金属線、２３・・・外被、２５・・・カシメ固定部、２６・・・カシメリング、２７・・・カシメ座。 
【図１】
2008275950.tif 000003
【図２】
2008275950.tif 000004
【図３】
2008275950.tif 000005
【図４】
2008275950.tif 000006
【図５】
2008275950.tif 000007
【図６】
2008275950.tif 000008
【図７】
2008275950.tif 000009
【図８】
2008275950.tif 000010
【図９】
2008275950.tif 000011
【図１０】
2008275950.tif 000012
【図１１】
2008275950.tif 000013
【図１２】
2008275950.tif 000014
【図１３】
2008275950.tif 000015